(57)【要約】      （修正有）【課題】畳み皺がつかないように和服を掛けることができる和服用ハンガーを提供する。【解決手段】和服用ハンガー１は、ハンガー本体２と、和服をハンガー本体２に留めつける留め具３とを含んで構成される。ハンガー本体２は、略直線状の枢支部２１と、一端が枢支部２１に接続し、他端が鉤状に湾曲する掛止部２２と、枢支部２１の長手方向に間隔をあけて複数並設され、枢支部２１から一側方へ片持ち状に延びる第一アーム部２３、第二アーム部および第三アーム部２５を含んで構成される。留め具３は、ハンガー本体２とは別体として形成され、弧状の湾曲部の両端部からそれぞれ線上に延びるように形成されるとともに、和服の袖を第三アーム部２５に留めつけることができる。【選択図】図１
0003174531.tif 000002
【実用新案登録請求の範囲】
【請求項１】
略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、
前記留め具は、前記ハンガー本体とは別体として形成されるとともに、当該和服の袖を前記複数のアーム部のうちのひとつのアーム部に留めつけることができる
ことを特徴とする和服用ハンガー。
【請求項２】
略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、
前記複数のアーム部のうち、前記掛止部から最も離れた位置に配設されるアーム部は、前記枢支部に接続する端部と反対の端部に開口部が形成される中空状であり、
前記留め具は略直線状に形成される一対の直線部と、前記直線部同士を接続する湾曲部とを含んで形成されるとともに、前記湾曲部は、前記直線部が所定の間隔をもって略平行に延びるように同直線部同士を接続するものであり、
前記直線部のうち一方の直線部を前記開口部に挿入するとともに、他方の直線部を当該和服の袖に挿入することで、前記袖を前記アーム部に留めつけることができる
ことを特徴とする和服用ハンガー。
【請求項３】
略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、
前記留め具は、前記ハンガー本体とは別体として形成されるとともに、当該和服の袖を前記複数のアーム部のうちのひとつのアーム部に留めつけることができるものであり、
前記複数のアーム部のうち、前記掛止部から最も離れた位置に配設されるアーム部と、前記掛止部に最も近接した位置に配設されるアーム部との間の距離が２２〜２５ｃｍ内にある
ことを特徴とする和服用ハンガー。
【請求項４】
略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、
前記複数のアーム部のうち、前記掛止部から最も離れた位置に配設されるアーム部は、前記枢支部に接続する端部と反対の端部に開口部が形成される中空状であり、
前記留め具は略直線状に形成される一対の直線部と、前記直線部同士を接続する湾曲部とを含んで形成されるとともに、前記湾曲部は、前記直線部が所定の間隔をもって略平行に延びるように同直線部同士を接続するものであり、
前記中空状に形成されたアーム部に、前記留め具を形成する一対の直線部のうちの一方の直線部を挿入したときに、当該直線部のうちの他方の直線部と前記掛止部に最も近接した位置に配設されるアーム部との間の距離が２５〜２８ｃｍ内にある
ことを特徴とする和服用ハンガー。
【請求項５】
略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、
前記ハンガー本体および前記留め具とは別体として形成される衿留め具を備え、
前記留め具は、前記ハンガー本体とは別体として形成されるとともに、当該和服の袖を前記複数のアーム部のうちのひとつのアーム部に留めつけることができるものであり、
前記衿留め具は、畳まれた状態にある当該和服の衿を重合した状態で挟むことができ、前記衿が鉛直方向下方に垂れ下がることを抑制することのできる略Ｕ字状に形成されるものである
ことを特徴とする和服用ハンガー。
【請求項６】
請求項５に記載の和服用ハンガーであって、
前記衿留め具の当該和服に接する面は、滑らかなひとつの面からなる
ことを特徴とする和服用ハンガー。
【請求項７】
請求項２〜６のいずれか一項に記載の和服用ハンガーであって、
前記留め具を複数備える
ことを特徴とする和服用ハンガー。
【請求項８】
請求項２〜７のいずれか一項に記載の和服用ハンガーであって、
前記留め具の袖に接する面は、滑らかなひとつの面からなる
ことを特徴とする和服用ハンガー。
【考案の詳細な説明】
【技術分野】
【０００１】
本考案は、和服を掛けたままクローゼット等に収納することができる和服用ハンガーに関する。
【背景技術】
【０００２】
従来、和服は、畳んだ状態で棚等に収納され、着用の前後に畳み皺をのばしたり乾燥したりするために、一時的に和服用ハンガーに掛けられる。この種の和服用ハンガーとしては、和服の袖を広げた状態に保持することができる横長状のロッドと、当該ロッドに連結され、当該ロッドを吊り下げることができるフックとを備えるものが知られている（例えば、特許文献１参照）。
【０００３】
ところで、近年、和服の着用機会は大きく減少している。このため、和服は、長期間にわたって収納されることが多い。収納期間が長期間となると、生地が吸湿したり、畳み皺がついたりすることが懸念される。そこで、近年、和服用ハンガー等に掛けたままクローゼット等に和服を収納する和服の収納方法が提案されている。
【０００４】
しかしながら、和服は、洋服と異なり着丈が長いため、特許文献１に記載の和服用ハンガーに掛けた状態で一般的な家庭のクローゼット等に収納すると、裾が床面に接触してしまう。さらに、特許文献１に記載の和服用ハンガーを使用すると、大きな収納スペースが必要となってしまう。これらの問題は、長期間にわたって和服を収納する上では好ましくない。
【０００５】
そこで、近年、和服を畳んだ状態で掛けることができる和服用ハンガーが知られている。例えば、特許文献２には、和服を畳んだ状態に維持することができる複数のアームを備えた和服用ハンガーが記載されている。このような和服用ハンガーによれば、和服を畳んだ状態で掛けることができるため、裾が床面に接触することを抑制するとともに、収納スペースを少なくすることができる。
【先行技術文献】
【特許文献】
【０００６】
【特許文献１】特開２００２−１３６４１７号公報
【特許文献２】特開２００６−１０２４８４号公報
【考案の概要】
【考案が解決しようとする課題】
【０００７】
ところで、特許文献２に記載の和服用ハンガーに和服を掛けるときには、使用者は、和服を本畳みにした後、一のアームを袖振りに挿入するとともに、当該一のアームと他のアームとの間に形成される隙間に和服の身頃を挿入しなければならない。そして、和服ごと当該ハンガーを持ち上げて、フック部を他の部材に吊り下げる必要がある。
【０００８】
このように、和服用ハンガーの複数箇所に和服の異なる部位を同時に挿入しなければならないため、特許文献２に記載の和服用ハンガーに和服を掛けるときには、和服に型崩れが発生するおそれがある。このような型崩れは、使用者が当該和服を着用した際、外部から視認される箇所に畳み皺がついてしまう原因ともなりうる。また、このような型崩れが発生すると、和服を再度畳み直すことが必要となってしまう。
【０００９】
なお、このような問題は、特許文献２に記載の和服用ハンガーに限られるものではなく、和服を畳んだ状態で掛けることができる和服用ハンガーにおいては、概ね共通したものとなっている。
【００１０】
本考案は、上記従来技術の問題を解決するためになされたものであって、掛けるときに型崩れが発生することを抑制することができる和服用ハンガーを提供することを課題とする。
【課題を解決するための手段】
【００１１】
上記目的を達成するために、本発明の第一態様は、略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、前記留め具は、前記ハンガー本体とは別体として形成されるとともに、当該和服の袖を前記複数のアーム部のうちのひとつのアーム部に留めつけることができることを特徴とする。
【００１２】
同構成（第一態様にかかる和服ハンガー）では、畳んだ和服を和服用ハンガーに掛ける際、使用者は、複数並設されるアーム部のうちの一のアーム部に和服の袖を留め具を用いて留めつけるとともに、他のアーム部に当該和服の身頃を掛けて当該身頃を折り曲げた状態とする。そして、掛止部を用いて当該ハンガー本体を吊るす。同構成によれば、留め具がハンガー本体と別体として形成されているため、使用者は、留め具を用いて袖を一のアーム部に留めつける作業と、身頃を他のアーム部に掛ける作業とを各別に行うことができる。したがって、和服を和服用ハンガーに掛ける作業が煩雑になり、作業中に予期しない皺が発生することを抑制することができ、ひいては畳み皺がつくことを抑制することができるようになる。
【００１３】
本発明の第二態様は、略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、前記複数のアーム部のうち、前記掛止部から最も離れた位置に配設されるアーム部は、前記枢支部に接続する端部と反対の端部に開口部が形成される中空状であり、前記留め具は略直線状に形成される一対の直線部と、前記直線部同士を接続する湾曲部とを含んで形成されるとともに、前記湾曲部は、前記直線部が所定の間隔をもって略平行に延びるように同直線部同士を接続するものであり、前記直線部のうち一方の直線部を前記開口部に挿入するとともに、他方の直線部を当該和服の袖に挿入することで、前記袖を前記アーム部に留めつけることができることを特徴とする。
【００１４】
同構成（第二態様にかかる和服ハンガー）によれば、略平行に延びるように接続された一対の直線部を介して袖をアーム部に留めつけることができる。このため、和服を、アーム部に圧着させて留めつける場合と比較して、留めつける際に和服に皺が発生することを抑制することができる。
【００１５】
本発明の第三態様は、略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、前記留め具は、前記ハンガー本体とは別体として形成されるとともに、当該和服の袖を前記複数のアーム部のうちのひとつのアーム部に留めつけることができるものであり、前記複数のアーム部のうち、前記掛止部から最も離れた位置に配設されるアーム部と、前記掛止部に最も近接した位置に配設されるアーム部との間の距離が２２〜２５ｃｍ内にあることを特徴とする。
【００１６】
和服の身頃を折り曲げてアーム部に掛けると、この折り曲げた部分に畳み皺が発生する。同構成（第三態様にかかる和服ハンガー）によれば、着用の際、帯と使用者との間に挟まれることとなる位置に畳み皺が発生するため、使用者が和服を着用したときに、この畳み皺が外部から視認されることを抑制することができる。
【００１７】
本発明の第四態様は、略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、前記複数のアーム部のうち、前記掛止部から最も離れた位置に配設されるアーム部は、前記枢支部に接続する端部と反対の端部に開口部が形成される中空状であり、前記留め具は略直線状に形成される一対の直線部と、前記直線部同士を接続する湾曲部とを含んで形成されるとともに、前記湾曲部は、前記直線部が所定の間隔をもって略平行に延びるように同直線部同士を接続するものであり、前記中空状に形成されたアーム部に、前記留め具を形成する一対の直線部のうちの一方の直線部を挿入したときに、当該直線部のうちの他方の直線部と前記掛止部に最も近接した位置に配設されるアーム部との間の距離が２５〜２８ｃｍ内にあることを特徴とする。
【００１８】
和服の身頃を折り曲げてアーム部に掛けると、この折り曲げた部分に畳み皺が発生する。同構成（第四態様にかかる和服ハンガー）によれば、畳み皺は、着用の際、使用者と帯とに挟まれることとなる位置に発生するため、使用者が和服を着用したときに、この畳み皺が外部から視認されることを抑制することができる。
【００１９】
本発明の第五態様は、略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、前記ハンガー本体および前記留め具とは別体として形成される衿留め具を備え、前記留め具は、前記ハンガー本体とは別体として形成されるとともに、当該和服の袖を前記複数のアーム部のうちのひとつのアーム部に留めつけることができるものであり、前記衿留め具は、畳まれた状態にある当該和服の衿を重合した状態で挟むことができ、前記衿が鉛直方向下方に垂れ下がることを抑制することのできる略Ｕ字状に形成されるものであることを特徴とする。
【００２０】
身頃を折り曲げて当該和服用ハンガーに和服を掛けると、衿が鉛直方向下方に垂れ下がってしまう。この点、同構成（第五態様にかかる和服ハンガー）によれば、衿留め具を用いて衿を重合した状態で挟むことにより、衿を畳まれた状態に保持することができるため、衿が鉛直方向下方に垂れ下がることを抑制することができる。
【００２１】
本発明の第六態様は、第本発明の第五態様にかかる和服用ハンガーであって、前記衿留め具の当該和服に接する面は、滑らかなひとつの面からなることを特徴とする。
【００２２】
同構成（第六態様にかかる和服ハンガー）によれば、衿を衿留め具で挟んだときに、当該当該和服に衿留め具と接触したことに起因する皺が発生することを抑制することができる。
【００２３】
本発明の第七態様は、本発明の第二態様〜第六態様のいずれかにかかる和服用ハンガーであって、前記留め具を複数備えることを特徴とする。
【００２４】
同構成（第七態様にかかる和服ハンガー）によれば、和服を構成する一対の袖に対して留め具を各別に挿入し、それぞれアーム部に留めつけることができる。このため、和服ハンガーに和服を掛けることが容易になり、型崩れが発生することを抑制することができる。
【００２５】
本発明の第八態様は、本発明の第二態様〜第七態様のいずれかにかかる和服用ハンガーであって、前記留め具の袖に接する面は、滑らかなひとつの面からなることを特徴とする。
【００２６】
同構成（第八態様にかかる和服ハンガー）によれば、留め具を用いて袖をハンガーに留めつけたときに、当該袖に留め具に接触したことに起因する皺が発生することを抑制することができる。
【考案の効果】
【００２７】
本考案によれば、掛けるときに型崩れが発生することを抑制することができる和服用ハンガーを提供することができる。
【図面の簡単な説明】
【００２８】
【図１】（ａ）は、本考案の一実施形態にかかるハンガー本体の全体構成を示す斜視図、（ｂ）は、本実施形態にかかる留め具の全体構成を示す斜視図、（ｃ）は、本実施形態にかかる和服用ハンガーの全体構成図。
【図２】（ａ）〜（ｃ）は、本実施形態にかかる和服の畳み方および衿留め具の使用方法を示す説明図。
【図３】（ａ）および（ｂ）は、本実施形態にかかる和服の畳み方を示す説明図。
【図４】本実施形態にかかる留め具の使用方法を示す説明図。
【図５】（ａ）および（ｂ）は、本実施形態にかかる和服用ハンガーおよび和服を示す斜視図。
【図６】（ａ）および（ｂ）は、本実施形態にかかる和服用ハンガーおよび和服を示す斜視図。
【図７】（ａ）は、他の実施形態にかかるクリップの全体構成を示す斜視図、（ｂ）は、同実施形態にかかるクリップの使用方法を示す説明図。
【図８】（ａ）および（ｂ）は、他の実施形態にかかるハンガー本体の全体構成を示す正面図。
【図９】（ａ）および（ｂ）は、他の実施形態にかかる衿留め具の使用方法を示す説明図。
【考案を実施するための形態】
【００２９】
以下、本考案を具体化した一実施形態を図１〜図６に基づいて説明する。本実施形態にかかる和服用ハンガー１は、ハンガー本体２、留め具３および衿留め具５を含んで構成される。
図１（ａ）には、本実施形態にかかるハンガー本体２の全体構成を、同図１（ｂ）には同実施形態にかかる留め具３の全体構成を、同図１（ｃ）には同実施形態にかかる和服用ハンガー１の全体構成を示す。
【００３０】
同図１（ａ）に示されるように、ハンガー本体２は、略直線状の枢支部２１と、この枢支部２１に接続される掛止部２２とを含んで構成される。掛止部２２は、一端が枢支部２１に接続しており、他端が鉤状に湾曲している。
また、枢支部２１には、一端が枢支部２１に接続し、ハンガー本体２の一側方へ片持ち状に延びる第一アーム部２３、第二アーム部２４および第三アーム部２５が互いに平行になるように設けられている。
【００３１】
このように、ハンガー本体２は、略直線状の枢支部２１と、一端が枢支部２１に接続し、他端が鉤状に湾曲する掛止部２２と、枢支部２１の長手方向に間隔をあけて並設され、枢支部２１から一側方へ片持ち状に延びる第一アーム部２３、第二アーム部２４および第三アーム部２５とを含んで構成される。
【００３２】
次に、第一アーム部２３、第二アーム部２４および第三アーム部２５について、同図１（ａ）を参照しながら詳細に説明する。
第一アーム部２３は、掛止部２２に最も近接した位置に配設されている。一方、第三アーム部２５は、掛止部２２から最も離れた位置に配設されている。
【００３３】
これら第一アーム部２３、第二アーム部２４および第三アーム部２５は、長手方向の寸法Ｌ１が略等しくなるように形成されている。これら第一アーム部２３、第二アーム部２４および第三アーム部２５の長手方向の寸法Ｌ１は、作業性およびクローゼットの幅を考慮すると、３０〜５０ｃｍの範囲にあることが好ましく、３０〜４５ｃｍの範囲にあることがより好ましく、３４〜３８ｃｍの範囲にあることが最も好ましい。
【００３４】
一般に、和服１０の幅寸法は所定の寸法にある程度定まっている。アーム部２３〜２５の寸法Ｌ１が３４〜３８ｃｍの範囲にあると、このような一般的な和服１０の幅寸法を備える和服１０をアーム部２３〜２５に掛ける際、作業がしやすくなるとともに、容易に和服１０を掛けることができるようになる。
【００３５】
第一アーム部２３は、枢支部２１と掛止部２２との接続部に、枢支部２１に略直交するように接続されている。第二アーム部２４は、第一アーム部２３との間に所定の間隔Ｃ１をあけて、第一アーム部２３と略平行となるように枢支部２１に接続されている。第一アーム部２３と第二アーム部２４との間の間隔Ｃ１は、２〜１０ｃｍの範囲にあることが好ましく、４〜６ｃｍの範囲にあることがより好ましい。
【００３６】
これら第一アーム部２３および第二アーム部２４は、円柱状に形成されており、その外周面は目視できるような凹凸がない滑らかな面によって構成されている。これら第一アーム部２３および第二アーム部２４の外径は１〜５ｃｍの範囲にあることが好ましく、１〜３ｃｍの範囲にあることがより好ましく、１〜２ｃｍの範囲にあることが最も好ましい。
【００３７】
第一アーム部２３および第二アーム部２４の外径が１ｃｍ以下であると、和服を掛けたときに、当該和服に畳み皺がつきやすくなってしまう。また、和服１０を掛けた状態に維持するために必要となる強度を得ることができなくなるおそれがある。一方、第一アーム部２３および第二アーム部２４の外径が５ｃｍ以上であると、第一アーム部２３もしくは第二アーム部２４に和服を掛けたときに、当該和服が第一アーム部２３もしくは第二アーム部２４から滑り落ちやすくなってしまう。また、第一アーム部２３および第二アーム部２５の外径が３ｃｍ以上であると、収納スペースが大きくなってしまう。
【００３８】
第三アーム部２５は、第一アーム部２３との間に所定の間隔Ｃ２をあけて、第一アーム部２３および第二アーム部２４と略平行になるように枢支部２１に接続されている。第一アーム部２３と第三アーム部２５との間の間隔Ｃ２は、５〜３０ｃｍの範囲にあることが好ましく、２２〜２５ｃｍの範囲にあることがより好ましい。
【００３９】
また、第三アーム部２５は、枢支部２１に接続する端部とは反対側の端部２５ａが開口する円筒状に形成されている。この端部２５ａの開口部は、その内径が１〜５ｃｍの範囲にあることが好ましく、２〜４ｃｍの範囲にあることがより好ましく、２〜３ｃｍの範囲にあることが最も好ましい。
また、第三アーム部２５は、厚みが薄い肉薄状に形成されており、その肉厚は３〜１０ｍｍの範囲にあることが好ましい。
【００４０】
次に、図１（ｂ）を参照しながら、留め具３について説明する。
留め具３は、その外周面（和服１０に接触する面）が目視できるような凹凸がない滑らかな面によって形成されている。そして、互いに平行に延びる直線部３ａと、直線部３ａ同士を接続する湾曲部３ｂとを含んで形成されている。
この直線部３ａの外径は、０．１〜２．０ｃｍの範囲にあることが好ましく、０．５〜１．５ｃｍの範囲にあることがより好ましく、略０．５ｃｍであることが最も好ましい。
【００４１】
この留め具３の長手方向の寸法Ｌ３は、第三アーム部２５の長手方向の寸法Ｌ１と略等しくなるように形成されていてもよいし、寸法Ｌ１よりも長くなるように形成されていてもよい。寸法Ｌ３が寸法Ｌ１より長いと、第三アーム部２５に挿入されたときに、当該第三アーム部２５から落下することを抑制することができる。
この留め具３の長手方向の寸法Ｌ３は、３０〜５０ｃｍの範囲にあることが好ましく、３０〜４５ｃｍの範囲にあることがより好ましく、３４〜４０ｃｍの範囲にあることが最も好ましい。
【００４２】
そして、留め具３の短手方向の寸法Ｌ４（本発明の「所定の間隔」に相当）は、２〜５ｃｍの範囲にあることが好ましく、２〜４ｃｍの範囲にあることがより好ましく、３ｃｍであることが最も好ましい。寸法Ｌ４が２ｃｍ未満であると、この留め具３を用いて和服１０を第三アーム部２５に留めつけたときに、和服１０に皺が発生するおそれがある。一方、寸法Ｌ４が５ｃｍを超えると、留め具３が外れやすくなってしまい、和服１０を第三アーム部２５に留めつけることが困難となってしまう。
【００４３】
次に、図１（ｃ）を参照しながら、これらハンガー本体２、留め具３および衿留め具５を含んで構成される和服用ハンガー１の全体構成について説明する。
【００４４】
上述したように、第三アーム部２５は、枢支部２１に接続する端部とは反対側の端部２５ａが開口する円筒状に形成されている。
この端部２５ａの開口部の内径および留め具３の直線部３ａの外径が上述した範囲にあるため、図１（ｃ）に示されるように、一対の留め具３の直線部３ａを、第三アーム部２５の端部２５ａからそれぞれ挿入することができる。
【００４５】
上述したように、留め具３の短手方向の寸法Ｌ４は、３ｃｍであることが最も好ましい。そして、第一アーム部２３と第三アーム部２５との間の間隔Ｃ２は、２２〜２５ｃｍの範囲にあることが最も好ましい。このため、同図１（ｃ）に示されるように、一対の留め具３をハンガー本体２の第三アーム部２５に挿入したときに、第三アーム部２５の外部に位置する直線部３ａと第一アーム部２３との間の間隔を間隔Ｃ３とすると、この間隔Ｃ３が２５〜２８ｃｍの範囲にあることが最も好ましい。
【００４６】
また、上述したように、第三アーム部２５の内径は、２〜３ｃｍの範囲に設定されている。この内径が１ｃｍ未満であると、留め具３をこの端部２５ａから挿入することが困難なものとなるおそれがある。一方、この内径が５ｃｍ以上であると、この端部２５ａに挿入した留め具３が抜け落ちやすくなるおそれがある。
【００４７】
次に、同図１（ｃ）を参照しながら、衿留め具５について説明する。
同図１（ｃ）に示されるように，衿留め具５は、一対の直線部５ａと、直線部５ａ同士を接続する湾曲部５ｂとを含んで形成されている。
この衿留め具５の外周面は、軟性素材によって形成されており、その外周面（和服１０に接触する面）は、目視できるような凹凸がなく滑らかな面によって構成されている。
【００４８】
直線部５ａの長手方向の寸法Ｌ６は、１３〜１８ｃｍの範囲にあることが好ましく、１４〜１７ｃｍの範囲にあることがより好ましく、１５〜１６ｃｍの範囲にあることが最も好ましい。
また、衿留め具５の短手方向の寸法Ｌ７は、０．４〜０．８ｃｍの範囲にあることが好ましい。
【００４９】
次に、図２および図３を参照しながら、本実施形態にかかる和服用ハンガー１を使用する際の和服１０の畳み方について説明する。なお、本実施形態では、同図２および図３に示す和服１０の畳み方を「本畳み」として説明する。
【００５０】
同図２（ａ）に示されるように、和服１０は前身頃１１、後身頃１２、衽（おくみ）１３、袖１４、および衿１５を含んで構成される。袖１４は、腕を通すための袖口１４ａと、袖付けから袖底１４ｃまでの間に形成された開口部である振り１４ｂとを含んで構成されている。
【００５１】
前身頃１１と後身頃１２とは、脇縫い１６を介して互いに縫い合わせられている。また、後身頃１２は、背縫い１７（図示せず）を介して互いに縫い合わせられた同じ大きさの２枚の布から構成されている。またさらに、衿１５は、衿付け線１５ａを介して前身頃１１、衽１３および後身頃１２に縫い付けられている。
【００５２】
和服１０を畳むときには、まず、同図２（ａ）に示されるように和服１０を広げ、一方の前身頃１１を後身頃１２に重なるように脇縫い１６に沿って折る。
そして、同図２（ｂ）に示されるように両方の衽１３を手前に折り返す。このとき、同図２（ｂ）に示されるように、衿１５の中央部分は、内側に折り曲がる。
次に、同図２（ｃ）に示されるように一方の衽１３を他方の衽１３に重ねる。
【００５３】
そして、図３（ａ）に示されるように、脇縫い１６同士が重なるように後身頃１２を背縫い１７に沿って折り返す。次に、同図３（ａ）に矢印にて示されるように、袖１４を折り返す。これにより、同図３（ｂ）に示されるように袖１４が後身頃１２に重なる。
ところで、一般的な本畳みでは、一方の袖１４を後身頃１２の上部に重ね、他方の袖１４を後身頃１２の下部に折り畳む。
本実施形態では、このような一般的な本畳みと異なり、一対の袖１４を両方とも後身頃１２の上部に重ねる。
【００５４】
ところで、使用者は、和服１０を着用する際、和服１０の一部を帯と使用者との間に挟み込む。以下、和服１０のうち、このように帯と使用者との間に挟まれる部分を「帯下部１８」とする（図２（ａ）および図３（ｂ）参照）。この帯下部１８は、一部がおはしょりとして外部に露出するものの、そのほとんどが着用の際、帯の下に挟まれることとなる。
和服１０において、このような帯下部１８が形成される位置および範囲は、和服１０の仕立てや使用者の身長に応じて異なるものとなる。
【００５５】
しかしながら、多くの場合、帯下部１８は、同図２（ａ）および図３（ｂ）に示されるように、和服１０の略中央部分に形成される。そして、同図３（ｂ）に示されるように和服１０を畳んだときにおける袖底１４ｃと帯下部１８の下端部との距離を間隔Ｃ４とすると、帯下部１８は、この間隔Ｃ４が３５〜４５ｃｍとなる位置に形成されることが多い。すなわち、多くの場合、袖底１４ｃから３５〜４５ｃｍにある範囲は、着用の際、帯と使用者との間に挟み込まれる部分となる。
【００５６】
次に、図２および図４〜図６を参照しながら、本実施形態にかかる和服用ハンガー１の使用方法について説明する。
まず、図２を参照しながら、衿留め具５の取り付け方法について説明する。同図２に示されるように、和服１０を本畳みにする場合、衿１５は、一部が内側に折り畳まれる（図２（ｂ）参照）。そして、このように内側に折り畳まれた部分を挟むように衿１５同士を重ねる（図２（ｃ）参照）。
本実施形態においては、このように内側に折り畳まれることによって重合した状態となった部分を挟むように衿留め具５を取り付ける。すなわち、同図２（ｃ）に示されるように、衿付け線１５ａよりも前身頃１１側（前身頃１１と衿１５とが重なっている部分）を挟み、衿付け線１５ａと略平行になるように衿留め具５を取り付ける。
【００５７】
上述したように、衿留め具５の短手方向の寸法Ｌ７は、０．４〜０．８ｃｍの範囲にあることが好ましい。寸法Ｌ７が０．４ｃｍ未満であると、このように和服１０に衿留め具５を取り付けたときに、和服１０に皺が発生してしまうおそれがある。一方、寸法Ｌ７が０．８ｃｍ以上であると、衿留め具５が和服１０から抜け落ちてしまうおそれがある。
【００５８】
そして、同図４（ｂ）に示されるように、各振り１４ｂに留め具３をそれぞれ挿入する。この際、留め具３を構成する一対の直線部３ａのうち、一方の直線部３ａのみを振り１４ｂに挿入し、他方の直線部３ａは振り１４ｂの外部に位置するようにする。
【００５９】
このように留め具３および衿留め具５を取り付けた後、和服１０をハンガー本体２に掛ける。
まず、図５（ａ）に示されるように、留め具３を構成する直線部３ａのうち、振り１４ｂの外部に位置する直線部３ａを第三アーム部２５に挿入する。そして、ハンガー本体２を留め具３の湾曲部３ｂに向けて（同図５（ａ）に矢印にて示す方向に向けて）にスライド移動させる。
【００６０】
このようにハンガー本体２をスライド移動させるときには、掛止部２２と第一アーム部２３との間に前身頃１１および後身頃１２が挟まるように、掛止部２２を和服１０の下部に位置させる。
そして、同図５（ｂ）に示されるように、直線部３ａが第三アーム部２５に収納される位置までハンガー本体２をスライド移動させる。
【００６１】
ところで、上述したように、第三アーム部２５の内径は２〜３ｃｍの範囲にあることが好ましい。この内径が２ｃｍ未満であると、このように留め具３を第三アーム部２５に挿入することが困難になってしまうおそれがある。一方、この内径が３ｃｍ以上であると、第三アーム部２５に挿入した留め具３が第三アーム部２５から抜け落ちてしまうおそれがある。
【００６２】
そして、図６（ａ）に示されるように、和服１０の前身頃１１および後身頃１２を第一アーム部２３に沿って折り返す。
その後、ハンガー本体２を和服１０ごと持ち上げ、掛止部２２を衣紋掛け等に掛けることで、和服１０を畳んだ状態でクローゼット等に収納することができる。
【００６３】
上述したように、ハンガー本体２は、一対の留め具３をハンガー本体２の第三アーム部２５に挿入したときに、第三アーム部２５の外部に位置する直線部３ａと第一アーム部２３との間の間隔Ｃ３が２５〜２８ｃｍの範囲となることが最も好ましい。また、上述したように、帯下部１８は、その下端部と袖底１４ｃとが間隔Ｃ４（３５〜４５ｃｍ）をおいて形成されることが多い。
【００６４】
このため、同図６（ａ）に示されるように和服１０をハンガー本体２に掛けた際、第一アーム部２３は、帯下部１８に位置することとなる。したがって、仮に第一アーム部２３に掛けられたことに起因して前身頃１１および後身頃１２に皺が発生したとしても、この皺は、外部から視認され難い帯下部１８に発生することとなる。
【００６５】
ところで、和服１０の仕立てや使用者の身長によっては、帯下部１８の下端部と袖底１４ｃとの間隔Ｃ４が、３５〜４５ｃｍよりも短くなることがある。このような場合、和服１０を和服用ハンガー１に掛けると、第一アーム部２３は帯下部１８よりも下部（裾寄り）に位置することとなる。
【００６６】
このような場合、使用者は、ハンガー本体２に留め具３を挿入する際（図５（ａ）参照）、第一アーム部２３と第二アーム部２４との間に前身頃１１および後身頃１２が挟まるように、第二アーム部２４を和服１０の上部に位置させるとともに、第一アーム部２３を和服１０の下部に位置させる。これにより、第二アーム部２４に沿って和服１０を折り返すことができる。
第二アーム部２４は、第一アーム部２３よりも第三アーム部２５に近接した位置に形成されているため、使用者は、帯下部１８に第二アーム部２４を位置させることができるようになる。したがって、使用者は、和服１０をハンガー本体２に掛けたときに、和服１０を帯下部１８で折り返すことができるようになる。
【００６７】
また、上述したように、第一アーム部２３と第二アーム部２４との間に形成される間隔Ｃ１は４〜６ｃｍの範囲にあることが好ましい。間隔Ｃ１が４ｃｍ未満であると、第一アーム２３と第二アーム部２４との間に前身頃１１および後身頃１２を挟めることが困難となる。間隔Ｃ１が６ｃｍ以上であると、和服１０をハンガー本体２に掛けたときに、帯下部１８で折り返すことが困難なものとなってしまう。
【００６８】
また、上述したように、和服１０を畳む際、衿１５は内側に折り畳まれる。このため、同図６（ａ）に示されるようにハンガー本体２に和服１０を掛け、和服１０ごと和服用ハンガー１を持ち上げて、掛止部２２を衣紋掛け等に掛けると、重みによって衿１５が鉛直方向下方に垂れさがってしまうおそれがある。衿１５が鉛直方向下方に垂れさがった状態で保管されると、衿１５に皺が発生するおそれがある。
【００６９】
本実施形態では、上述したように内側に折り畳まれることによって重合した状態となった部分を挟むように衿留め具５を取り付ける。このように衿留め具５を取り付けることで、図６（ｂ）に示されるように、衿１５は、中央部分が折り返された状態に保持されることとなる。したがって、衿１５が鉛直方向下方に垂れさがってしまうことを抑制することができる。
【００７０】
上記実施形態によれば、以下に示す作用効果を奏することができるようになる。
（１）本実施形態によれば、留め具３がハンガー本体２と別体として形成されているため、使用者は、留め具３を用いて袖１４を第三アーム部２５に留めつける作業と、前身頃１１および後身頃１２を第一アーム部２３に掛ける作業とを各別に行うことができる。したがって、和服１０を和服用ハンガー１に掛ける作業が煩雑になることに起因して作業中に予期しない皺が発生することを抑制することができ、ひいては外部から視認される位置に畳み皺がつくことを抑制することができるようになる。
【００７１】
（２）また、留め具３を第三アーム部２５の端部２５ａと振り１４ｂにそれぞれ挿入することで、袖１４を第三アーム部２５に留めつけるようにしている。このため、袖１４と第三アーム部２５とを圧着させる場合とは異なり、袖１４に、第三アーム部２５および留め具３に接触したことに起因する皺が発生することを抑制することができる。
【００７２】
（３）また、和服１０を構成する一対の袖１４に対して留め具３を各別に挿入し、それぞれ第三アーム部２５に留めつけることができる。このように、袖１４を各別に第三アーム部２５に留めつけることができるため、一対の袖１４を同時に第三アーム部２５に留めつける場合と比較して、容易に袖１４を第三アーム部２５に留めつけることができるようになる。
【００７３】
（４）また、衿１５のうち、内側に折り畳まれることによって重合した状態となった部分を挟むように衿留め具５を取り付ける。これにより、衿１５を畳まれた状態に保持することができるため、衿１５が鉛直方向下方に垂れることを抑制することができるようになる。
【００７４】
（５）また、第一アーム部２３、第二アーム部２４、第三アーム部２５および衿留め具５の外周が、目視できるような凹凸がない滑らかな面によって形成されているため、前身頃１１、後身頃１２および衿１５に、第一アーム部２３、第二アーム部２４および第三アーム部２５のいずれか、もしくは衿留め具５と接触したことに起因する皺が発生することを抑制することができる。
【００７５】
（６）また、和服１０の前身頃１１および後身頃１２を第一アーム部２３で折り曲げると、この折り曲げた部分に畳み皺が発生することがある。この点、本実施形態によれば、一対の留め具３をハンガー本体２の第三アーム部２５に挿入したときに、第三アーム部２５の外部に位置する直線部３ａと第一アーム部２３との間の間隔Ｃ３が２５〜２８ｃｍとなるように形成されているため、この畳み皺は帯下部１８に発生することとなる。したがって、使用者が和服１０を着用したときに外部から視認される位置に畳み皺が発生することを抑制することができる。
【００７６】
（７）また、前身頃１１および後身頃１２が短い和服１０を和服用ハンガー１に掛ける場合、前身頃１１および後身頃１２を第二アーム部２４で折り返すことができる。このため、前身頃１１および後身頃１２が短い和服１０であっても、帯下部１８で前身頃１１および後身頃１２を折り返すことができる。
【００７７】
（８）また、第三アーム部２５の肉厚は３〜１０ｍｍの範囲にあり、一般的な和服１０の袖底１４ｃの厚みは３〜６ｍｍの範囲にある一方、留め具３の短手方向の寸法Ｌ４は２〜４ｃｍの範囲にある。このため、当該留め具３を用いて袖１４を第三アーム部２５に留めつけた際、袖１４と第三アーム部２５との間に隙間が発生する。したがって袖１４に、第三アーム部２５および留め具３に接触したことに起因する皺が発生することをより好適に抑制することができる。
【００７８】
（その他の実施形態）
なお、この考案にかかる和服用ハンガー１は、上記実施形態にて例示した構成に限定されるものではなく、同実施の形態を適宜変更した例えば次のような形態として実施することもできる。また以下の各変形例は、上記実施形態についてのみ適用されるものではなく、異なる変形例同士を互いに組み合わせて実施することもできる。
【００７９】
・図７（ａ）に示されるように、半円筒状に形成されたクリップ６を備えるようにしてもよい。このクリップ６は、プラスチック等をはじめとするある程度の弾力性を備えるものから形成されていることが好ましい。なお、クリップ６の長手方向の長さＬ８は、２〜１０ｃｍの範囲にあることが好ましく、３〜５ｃｍの範囲にあることがより好ましく、３〜４ｃｍの範囲にあることが最も好ましい。
【００８０】
また、クリップ６の開口部の寸法Ｌ９は、１〜４ｃｍの範囲にあることが好ましく、２〜３ｃｍの範囲にあることがより好ましい。またさらに、クリップ６の内径Ｌ１０は、１〜３ｃｍの範囲にあることが好ましく、１〜２ｃｍの範囲にあることがより好ましい。
【００８１】
本変形例によれば、図７（ｂ）に示されるように、第一アーム部２３にクリップ６を嵌めることにより、和服１０が第一アーム部２３から滑り落ちることを抑制することができるようになる。
【００８２】
・上記変形例において、第一アーム部２３の外径を枢支部２１から離れるほど大きくなるように形成してもよい。本変形例によれば、図７（ｂ）に矢印および二点鎖線にて示されるように、枢支部２１近傍にクリップ６を留めた後、クリップ６を枢支部２１から離れる方向にスライド移動させることで、和服１０を第一アーム部２３に留めつけることができる。これにより、和服１０がハンガー本体２から滑り落ちることをより好適に抑制することができるようになる。
【００８３】
・図８（ａ）に示されるように、ハンガー本体３０は、直線状の第一枢支部３２と、この第一枢支部３２に一端が接続される第二アーム部３４と、第三アーム部３６と、掛止部３１と、この掛止部３１に一端が接続される第一アーム部３３と、第一アーム部３３と第二アーム部３４とを接続する第二枢支部３５とを含んで構成されるようにしてもよい。本変形例においても、上述した作用効果に準じた作用効果を奏することができるようになる。
【００８４】
・上記変形例において、図８（ｂ）に示されるように、第一枢支部３２の一端と、掛止部３１とを第三枢支部３７を介して接続するようにしてもよい。本変形例においても、上述した作用効果に準じた作用効果を奏することができるようになる。
【００８５】
・図９（ａ）に示されるように、衿留め具５を衿付け線１５ａに直交するように取り付けてもよい。また、図９（ｂ）に示されるように、衿留め具５を後身頃１２上から衿１５および前身頃１１を挟むように取り付けてもよい。本変形例においても、上述した作用効果に準じた作用効果を奏することができるようになる。
【００８６】
・上記実施形態および各変形例では、衿留め具５の外周面は、軟性素材によって形成されるようにしたが、本考案における衿留め具５はこれに限られるものではなく、プラスチック等の樹脂素材によって形成するようにしてもよい。本変形例によれば、衿留め具５に錆等が発生して、和服１０が汚れてしまうことを抑制することができる。
【００８７】
・上記実施形態および各変形例では、第三アーム部２５は円筒状に形成するようにしたが、本変形例における第三アーム部２５の形状はこれにかぎられるものではなく、第一アーム部２３および第二アーム部２４と同様に、円柱状に形成するようにしてもよい。この場合は、留め具３を袖１４に挿入することができないため、袖１４と第三アーム部２５とを挟みこんで袖１４を第三アーム部２５に留めつけることができる留め具を用いることが好ましい。例えば、留め具３のうち袖１４の外部に位置する直線部３ａと、第三アーム部２５とを固定することができる留め具を用いることが好ましい。本変形例おいても、上記（１）および（４）〜（７）に準じた作用効果を奏することができる。
【００８８】
・上記実施形態および各変形例では、第三アーム部２５は円筒状に形成するようにしたが、本変形例における第三アーム部２５の形状はこれにかぎられるものではなく、三角形状や四角形状といった多角形状に形成してもよい。
また、第三アーム部２５の端部２５ａの開口部、および第三アーム部２５の内部の形状も、円形に限られるものではない。例えば、三角形状や四角形状といった多角形状に形成してもよい。
【００８９】
・上記実施形態では、留め具３および衿留め具５の外周を凹凸のない滑らかな面によって形成するようにしたが、本発明はこれに限られるものではなく、凹凸のある面によって形成するようにしてもよい。本変形例によれば、和服１０の袖１４もしくは衿１５をより好適に留めつけることができるようになる。
【００９０】
・上記実施形態および各変形例では、第一アーム部２３は枢支部２１と掛止部２２との接続部に接続されるようにしたが、本考案におけるハンガー本体２の形状はこれに限られるものではない。第一アーム部２３は、枢支部２１と係止部２２との接続部よりも第三アーム部２５よりに接続されていてもよい。
【００９１】
・上記実施形態および各変形例では、第一アーム部２３、第二アーム部２４および第三アーム部２５の外周面は目視できるような凹凸がない滑らかな面によって構成されるようにしたが、滑り止め用の凹凸があるようにしてもよい。本変形例によれば、ハンガー本体２に掛けた和服１０が滑り落ちることを抑制することができる。
【００９２】
・上記実施形態および各変形例では、第一アーム部２３および第二アーム部２４の外周面は円形となるように構成されるようにしたが、三角形状や四角形状といった多角形状となるように形成してもよい。本変形例によれば、ハンガー本体２に掛けた和服１０が滑り落ちることを抑制することができる。
【００９３】
・上記実施形態および各変形例では、袖１４を重ねて畳むようにしたが、本考案における和服１０の畳み方はこれに限られるものではない。例えば、一方の袖１４を後身頃１２の上方に重なるように畳み、他方の袖１４を後身頃１２の下方に折り込むようにして、これを和服用ハンガー１に掛けるようにしてもよい。本変形例においても上述した作用効果に準じた作用効果を奏することができるようになる。
【００９４】
・上記実施形態および各変形例では、３本のアーム部を備えるハンガー本体２について説明したが、本発明におけるアーム部の本数は３本に限られるものではなく、アーム部の本数はさらに多くてもよい。または、第二アーム部２４を省略してもよい。
【符号の説明】
【００９５】
１…和服用ハンガー
２…ハンガー本体
３…留め具
３ａ…直線部
３ｂ…湾曲部
５…衿留め具
６…クリップ
１０…和服
１１…前身頃
１２…後身頃
１３…衽
１４…袖
１４ａ…袖口
１４ｂ…振り
１４ｃ…袖底
１５…衿
１５ａ…衿付け線
１６…脇縫い
１７…背縫い
１８…帯下部
２１…枢支部
２２…掛止部
２３…第一アーム部
２４…第二アーム部
２５…第三アーム部
３０…ハンガー本体
３１…掛止部
３２…第一枢支部
３３…第一アーム部
３４…第二アーム部
３５…第二枢支部
３６…第三アーム部
３７…第三枢支部
【図１】
0003174531.tif 000003
【図２】
0003174531.tif 000004
【図３】
0003174531.tif 000005
【図４】
0003174531.tif 000006
【図５】
0003174531.tif 000007
【図６】
0003174531.tif 000008
【図７】
0003174531.tif 000009
【図８】
0003174531.tif 000010
【図９】
0003174531.tif 000011
【手続補正書】
【提出日】平成24年1月24日(2012.1.24)
【手続補正１】
【補正対象書類名】実用新案登録請求の範囲
【補正対象項目名】全文
【補正方法】変更
【補正の内容】
【実用新案登録請求の範囲】
【請求項１】
略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、
前記複数のアーム部のうち、前記掛止部から最も離れた位置に配設されるアーム部は、前記枢支部に接続する端部と反対の端部に開口部が形成される中空状であり、
前記留め具は、前記ハンガー本体とは別体として形成されており、弧状に湾曲する湾曲部を含むとともに前記湾曲部の両端部からそれぞれ線状に延びるように形成されている
ことを特徴とする和服用ハンガー。
【請求項２】
略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、
前記複数のアーム部のうち、前記掛止部から最も離れた位置に配設されるアーム部は、前記枢支部に接続する端部と反対の端部に開口部が形成される中空状であり、
前記留め具は略直線状に形成される一対の直線部と、前記直線部同士を接続する湾曲部とを含んで形成されるとともに、前記湾曲部は、前記直線部が所定の間隔をもって略平行に延びるように同直線部同士を接続するものであり、
前記直線部のうち一方の直線部を前記開口部に挿入するとともに、他方の直線部を当該和服の袖に挿入することで、前記袖を前記アーム部に留めつけることができる
ことを特徴とする和服用ハンガー。
【請求項３】
略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、
前記複数のアーム部のうち、前記掛止部から最も離れた位置に配設されるアーム部は、前記枢支部に接続する端部と反対の端部に開口部が形成される中空状であり、
前記留め具は、前記ハンガー本体とは別体として形成されており、弧状に湾曲する湾曲部を含むとともに前記湾曲部の両端部からそれぞれ線状に延びるように形成されており、
前記複数のアーム部のうち、前記掛止部から最も離れた位置に配設されるアーム部と、前記掛止部に最も近接した位置に配設されるアーム部との間の距離が２２〜２５ｃｍ内にある
ことを特徴とする和服用ハンガー。
【請求項４】
略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、
前記複数のアーム部のうち、前記掛止部から最も離れた位置に配設されるアーム部は、前記枢支部に接続する端部と反対の端部に開口部が形成される中空状であり、
前記留め具は略直線状に形成される一対の直線部と、前記直線部同士を接続する湾曲部とを含んで形成されるとともに、前記湾曲部は、前記直線部が所定の間隔をもって略平行に延びるように同直線部同士を接続するものであり、
前記中空状に形成されたアーム部に、前記留め具を形成する一対の直線部のうちの一方の直線部を挿入したときに、当該直線部のうちの他方の直線部と前記掛止部に最も近接した位置に配設されるアーム部との間の距離が２５〜２８ｃｍ内にある
ことを特徴とする和服用ハンガー。
【請求項５】
略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、
前記ハンガー本体および前記留め具とは別体として形成される衿留め具を備え、
前記複数のアーム部のうち、前記掛止部から最も離れた位置に配設されるアーム部は、前記枢支部に接続する端部と反対の端部に開口部が形成される中空状であり、
前記留め具は、前記ハンガー本体とは別体として形成されており、弧状に湾曲する湾曲部を含むとともに前記湾曲部の両端部からそれぞれ線状に延びるように形成されており、
前記衿留め具は、畳まれた状態にある当該和服の衿を重合した状態で挟むことができ、前記衿が鉛直方向下方に垂れ下がることを抑制することのできる略Ｕ字状に形成されるものである
ことを特徴とする和服用ハンガー。
【請求項６】
請求項５に記載の和服用ハンガーであって、
前記衿留め具の当該和服に接する面は、滑らかなひとつの面からなる
ことを特徴とする和服用ハンガー。
【請求項７】
請求項２〜６のいずれか一項に記載の和服用ハンガーであって、
前記留め具を複数備える
ことを特徴とする和服用ハンガー。
【請求項８】
請求項２〜７のいずれか一項に記載の和服用ハンガーであって、
前記留め具の袖に接する面は、滑らかなひとつの面からなる
ことを特徴とする和服用ハンガー。
【手続補正２】
【補正対象書類名】明細書
【補正対象項目名】００１１
【補正方法】変更
【補正の内容】
【００１１】
上記目的を達成するために、本発明の第一態様は、略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、前記留め具は、前記ハンガー本体とは別体として形成されるとともに、当該和服の袖を前記複数のアーム部のうちのひとつのアーム部に留めつけることができることを特徴とする。
より詳しくは、略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、前記複数のアーム部のうち、前記掛止部から最も離れた位置に配設されるアーム部は、前記枢支部に接続する端部と反対の端部に開口部が形成される中空状であり、前記留め具は、前記ハンガー本体とは別体として形成されており、弧状に湾曲する湾曲部を含むとともに前記湾曲部の両端部からそれぞれ線状に延びるように形成されていることが好ましい。
【手続補正３】
【補正対象書類名】明細書
【補正対象項目名】００１５
【補正方法】変更
【補正の内容】
【００１５】
本発明の第三態様は、略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、前記留め具は、前記ハンガー本体とは別体として形成されるとともに、当該和服の袖を前記複数のアーム部のうちのひとつのアーム部に留めつけることができるものであり、前記複数のアーム部のうち、前記掛止部から最も離れた位置に配設されるアーム部と、前記掛止部に最も近接した位置に配設されるアーム部との間の距離が２２〜２５ｃｍ内にあることを特徴とする。
より詳しくは、略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、前記複数のアーム部のうち、前記掛止部から最も離れた位置に配設されるアーム部は、前記枢支部に接続する端部と反対の端部に開口部が形成される中空状であり、前記留め具は、前記ハンガー本体とは別体として形成されており、弧状に湾曲する湾曲部を含むとともに前記湾曲部の両端部からそれぞれ線状に延びるように形成されており、前記複数のアーム部のうち、前記掛止部から最も離れた位置に配設されるアーム部と、前記掛止部に最も近接した位置に配設されるアーム部との間の距離が２２〜２５ｃｍ内にあることが好ましい。
【手続補正４】
【補正対象書類名】明細書
【補正対象項目名】００１９
【補正方法】変更
【補正の内容】
【００１９】
本発明の第五態様は、略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、前記ハンガー本体および前記留め具とは別体として形成される衿留め具を備え、前記留め具は、前記ハンガー本体とは別体として形成されるとともに、当該和服の袖を前記複数のアーム部のうちのひとつのアーム部に留めつけることができるものであり、前記衿留め具は、畳まれた状態にある当該和服の衿を重合した状態で挟むことができ、前記衿が鉛直方向下方に垂れ下がることを抑制することのできる略Ｕ字状に形成されるものであることを特徴とする。
より詳しくは、略直線状の枢支部と、前記枢支部から延出する掛止部と、前記枢支部の長手方向に間隔をあけて複数並設され、前記枢支部から一側方へ片持ち状に延びる複数のアーム部とを含んで構成されるハンガー本体と、和服を前記ハンガー本体に留めつける留め具とを備える和服用ハンガーであって、前記ハンガー本体および前記留め具とは別体として形成される衿留め具を備え、前記複数のアーム部のうち、前記掛止部から最も離れた位置に配設されるアーム部は、前記枢支部に接続する端部と反対の端部に開口部が形成される中空状であり、前記留め具は、前記ハンガー本体とは別体として形成されており、弧状に湾曲する湾曲部を含むとともに前記湾曲部の両端部からそれぞれ線状に延びるように形成されており、前記衿留め具は、畳まれた状態にある当該和服の衿を重合した状態で挟むことができ、前記衿が鉛直方向下方に垂れ下がることを抑制することのできる略Ｕ字状に形成されるものであることが好ましい。